(57)【特許請求の範囲】
【請求項１】
脱穀装置から搬出され且つ揚穀装置により上揚搬送された穀粒を前記揚穀装置の吐出口からグレンタンクの横側壁に形成された開口を通して前記グレンタンク内に搬送するように構成され、
前記グレンタンクが、前記開口と前記吐出口とが連通する作業位置と、前記開口と前記吐出口とが離間するメンテナンス位置とにわたって位置変更自在に構成され、
前記吐出口と前記開口とが連通する連通用接続箇所において、前記グレンタンクと前記揚穀装置との間にシール部材が設けられているコンバインの穀粒回収部構造であって、
前記連通用接続箇所において、前記グレンタンク又は前記揚穀装置のうちのいずれか一方に他方に向かう状態で板状のシール装着部が形成され、
前記シール部材が、その長手方向の全長にわたって中空部が形成された弾性変形自在な変形作用部と、長手方向の全長にわたって前記板状のシール装着部に板厚方向両側から弾性的に挟持支持する状態で係合する係合保持部とを備えて構成されるとともに、前記板状のシール装着部に前記係合保持部が係合し且つ前記変形作用部が前記グレンタンク又は前記揚穀装置のうちの前記他方に向かう状態で装着され、
前記開口の横幅が前記吐出口の横幅よりも大きく設定されるとともに、前記揚穀装置の横側外方側に突出する状態で前記開口を覆う前後の覆い部が前記揚穀装置に形成され、
前記前後の覆い部夫々の外周側に一連に連なる状態で前記グレンタンクの側面に接当作用する前記シール部材が装着され、
前記グレンタンクにおける前記開口の上側周縁部及び下側周縁部の夫々に、前記揚穀装置における前記吐出口の上部側部分及び下部側部分に接当作用する前記シール部材が装着されているコンバインの穀粒回収部構造。
【請求項２】
前記揚穀装置の上部における前記吐出口が形成される穀粒排出部に前後方向に延びる縦壁部材が設けられ、
前記覆い部に、前記縦壁部材の前部側箇所及び後部側箇所の夫々から前記グレンタンクの横側壁に沿って前後方向に延設された支持部と、前後両側の前記支持部の夫々に沿って取り付けられるとともに前記シール装着部が形成された被装着部と、が備えられている請求項１に記載のコンバインの穀粒回収部構造。
【請求項３】
脱穀装置から搬出され且つ揚穀装置により上揚搬送された穀粒を前記揚穀装置の吐出口からグレンタンクの横側壁に形成された開口を通して前記グレンタンク内に搬送するように構成され、
前記グレンタンクが、前記開口と前記吐出口とが連通する作業位置と、前記開口と前記吐出口とが離間するメンテナンス位置とにわたって位置変更自在に構成され、
前記吐出口と前記開口とが連通する連通用接続箇所において、前記グレンタンクと前記揚穀装置との間にシール部材が設けられているコンバインの穀粒回収部構造であって、
前記連通用接続箇所において、前記グレンタンク又は前記揚穀装置のうちのいずれか一方に他方に向かう状態で板状のシール装着部が形成され、
前記シール部材が、その長手方向の全長にわたって中空部が形成された弾性変形自在な変形作用部と、長手方向の全長にわたって前記板状のシール装着部に板厚方向両側から弾性的に挟持支持する状態で係合する係合保持部とを備えて構成されるとともに、前記板状のシール装着部に前記係合保持部が係合し且つ前記変形作用部が前記グレンタンク又は前記揚穀装置のうちの前記他方に向かう状態で装着され、
前記揚穀装置の上部における前記吐出口が形成される穀粒排出部に前後方向に延びる縦壁部材が設けられ、
この縦壁部材の前部側箇所及び後部側箇所の夫々から前記グレンタンクの横側壁に沿って前後方向に支持部が延設され、
前後両側の前記支持部に前記シール装着部が設けられているコンバインの穀粒回収部構造。
【請求項４】
前記開口の横幅が前記吐出口の横幅よりも大きく設定されるとともに、前記揚穀装置の横側外方側に突出する状態で前記開口を覆う前後の覆い部が前記揚穀装置に形成され、
前記覆い部に、前記支持部と、前後両側の前記支持部の夫々に沿って取り付けられるとともに前記シール装着部が形成された被装着部と、が備えられている請求項３に記載のコンバインの穀粒回収部構造。
【請求項５】
前側の前記被装着部は、前側の前記支持部の前端部よりも前方側まで延長され、かつ、前側の前記支持部の上端部よりも上方側まで延長され、かつ、前側の前記支持部の下端部よりも下方側まで延長され、
前側の前記被装着部のうち前側の前記支持部よりも、前方、上方、及び、下方に延長されている部分の外周に沿って、前記シール装着部が形成され、
後側の前記被装着部は、後側の前記支持部の後端部よりも後方側まで延長され、かつ、後側の前記支持部の上端部よりも上方側まで延長され、かつ、後側の前記支持部の下端部よりも下方側まで延長され、
後側の前記被装着部のうち後側の前記支持部よりも、後方、上方、及び、下方に延長されている部分の外周に沿って、前記シール装着部が形成されている請求項２または４に記載のコンバインの穀粒回収部構造。
【請求項６】
前記グレンタンクの横側壁に、前記グレンタンクの上端部から下部に亘ってタンク内方に向かって凹入する状態で且つ上下方向に沿って延びる状態で凹部が形成されるとともに、その凹部の上部に前記開口が形成され、
前記揚穀装置が前記作業位置において前記凹部の内部に入り込む状態で配備されている請求項１から５の何れか一項に記載のコンバインの穀粒回収部構造。
【発明の詳細な説明】
【技術分野】
【０００１】
本発明は、脱穀装置から搬出され且つ揚穀装置により上揚搬送された穀粒を前記揚穀装置の吐出口からグレンタンクの横側壁に形成された開口を通して前記グレンタンク内に搬送するように構成され、前記グレンタンクが、前記開口と前記吐出口とが連通する作業位置と、前記開口と前記吐出口とが離間するメンテナンス位置とにわたって位置変更自在に構成され、前記吐出口と前記開口とが連通する連通用接続箇所において、前記グレンタンクと前記揚穀装置との間にシール部材が設けられているコンバインの穀粒回収部構造に関する。
【背景技術】
【０００２】
上記コンバインの穀粒回収部構造において、従来では、例えば、特許文献１又は特許文献２に示されるように、前記吐出口と前記開口とが連通する連通用接続箇所において、グレンタンク側の接続部及び揚穀装置側の接続部が夫々、板面が相手側に向かうような板状体にて構成され、前記シール部材は、略板状に形成されたスポンジ材が用いられ、いずれかの接続部に張り付ける状態で装着される構成となっていた。
【先行技術文献】
【特許文献】
【０００３】
【特許文献１】特開２００９−１１１９３号公報
【特許文献２】特開２００２−１８６３４７号公報
【発明の概要】
【発明が解決しようとする課題】
【０００４】
上記従来構成のように、シール部材として略板状に形成されたスポンジ材が用いられ、いずれかの接続部に張り付ける状態で装着される構成であれば、長期間にわたり充分なシール性能を発揮できないおそれがあった。
【０００５】
すなわち、グレンタンクは作業位置とメンテナンス位置とにわたって位置が変更するものであるが、そのようなグレンタンクの位置変更操作の際に、前記シール部材は無理な力を受けて変形したりあるいは表面が磨耗するなどの損傷を受けるおそれがある。コンバインの使用に伴ってこのようなグレンタンクの位置変更操作が繰り返し行われると、シール部材が破損して厚みが薄くなり、使用期間がそれほど長くなくてもシール性能を充分に発揮できないものになるおそれがある。
【０００６】
本発明の目的は、長期間にわたりグレンタンクと揚穀装置との間のシール性能を充分に発揮することが可能となるコンバインの穀粒回収部構造を提供する点にある。
【課題を解決するための手段】
【０００７】
本発明の特徴構成は、
脱穀装置から搬出され且つ揚穀装置により上揚搬送された穀粒を前記揚穀装置の吐出口からグレンタンクの横側壁に形成された開口を通して前記グレンタンク内に搬送するように構成され、
前記グレンタンクが、前記開口と前記吐出口とが連通する作業位置と、前記開口と前記吐出口とが離間するメンテナンス位置とにわたって位置変更自在に構成され、
前記吐出口と前記開口とが連通する連通用接続箇所において、前記グレンタンクと前記揚穀装置との間にシール部材が設けられているコンバインの穀粒回収部構造であって、
前記連通用接続箇所において、前記グレンタンク又は前記揚穀装置のうちのいずれか一方に他方に向かう状態で板状のシール装着部が形成され、
前記シール部材が、その長手方向の全長にわたって中空部が形成された弾性変形自在な変形作用部と、長手方向の全長にわたって前記板状のシール装着部に板厚方向両側から弾性的に挟持支持する状態で係合する係合保持部とを備えて構成されるとともに、前記板状のシール装着部に前記係合保持部が係合し且つ前記変形作用部が前記グレンタンク又は前記揚穀装置のうちの前記他方に向かう状態で装着され、
前記開口の横幅が前記吐出口の横幅よりも大きく設定されるとともに、前記揚穀装置の横側外方側に突出する状態で前記開口を覆う前後の覆い部が前記揚穀装置に形成され、
前記前後の覆い部夫々の外周側に一連に連なる状態で前記グレンタンクの側面に接当作用する前記シール部材が装着され、
前記グレンタンクにおける前記開口の上側周縁部及び下側周縁部の夫々に、前記揚穀装置における前記吐出口の上部側部分及び下部側部分に接当作用する前記シール部材が装着されている点にある。
【０００８】
本特徴構成によれば、シール部材は、係合保持部がグレンタンク又は揚穀装置のうちのいずれか一方に形成された板状のシール装着部に板厚方向両側から弾性的に挟持支持する状態で係合し、変形作用部がグレンタンク又は揚穀装置のうちの他方のものに向かう状態で装着されることになる。
【０００９】
例えば、グレンタンクがメンテナンス位置から作業位置に位置変更するような場合に、グレンタンクが揚穀装置に近づいて作業位置に位置すると、変形作用部が弾性変形して相手側のもの（グレンタンク又は揚穀装置）に接当してそれらとの間の隙間を埋める状態となる。その場合、隙間の幅が変化することがあっても、変形作用部が弾性的に変形して隙間を埋める状態を維持することができる。
【００１０】
又、グレンタンクをメンテナンス位置と作業位置との間で位置変更するために、グレンタンクと揚穀装置とが接近及び離間する動作が繰り返し行われて、相手側のものが変形作用部に接当することがあっても、変形作用部は中空部にて変位が吸収されながら弾性変形することにより無理な力が掛かることがない。
【００１１】
その結果、無理な力により変形作用部が磨耗する等のおそれがなく、グレンタンクと揚穀装置との間の隙間を埋めることにより良好なシール性能を発揮できるものとなる。
【００１２】
しかも、係合保持部が装着される板状のシール装着部は、グレンタンク又は揚穀装置のうちのいずれか一方に他方に向かう状態で形成されるものであり、さらに、係合保持部は、板状のシール装着部に板厚方向両側から弾性的に挟持支持する状態で係合するものであるから、グレンタンクをメンテナンス位置と作業位置との間で位置変更するために、グレンタンクと揚穀装置とが接近及び離間する動作が繰り返し行われても、その動作によって係合保持部が板状のシール装着部から引き抜かれたり無理な力が掛かることがなく、シール部材による適切な装着状態を長期にわたり維持し易いものとなる。
また、本特徴構成によれば、グレンタンクに形成される開口が吐出口よりも横幅が大になるように形成されるから、揚穀装置をグレンタンクの内部に入り込む状態で配備するようにして、揚穀装置の吐出口からグレンタンクの内部の広い範囲にわたって穀粒を送り込むことができて、一部の箇所に集中して堆積することを避けてできるだけ均した状態で穀粒を貯留させることができる。
そして、揚穀装置の横側外方側に突出する状態で横幅の大きい開口の横側部を覆う前後の覆い部が揚穀装置に形成されて、この前後の覆い部の夫々に外周側に一連に連なる状態でシール部材が装着されるから、開口の横側部におけるシール性能を良好に発揮できるものとなる。又、グレンタンクにおける開口の上側周縁部及び下側周縁部の夫々にシール部材が装着されるから、開口の上側及び下側におけるシール性能を良好に発揮できるものとなる。
又、覆い部はグレンタンクの側面に対向するものであるが、揚穀装置がグレンタンクの内部に入り込んでいるから、グレンタンクと揚穀装置とが離間する状態においては、シール部材が装着される覆い部が揚穀装置よりもグレンタンク側の外方に突出することがないので、外物に接触してシール部材が損傷するおそれが少ないものになる。
【００１３】
従って、本特徴構成によれば、長期間にわたりグレンタンクと揚穀装置との間のシール性能を充分に発揮することが可能となるコンバインの穀粒回収部構造を提供できるに至った。
【００１４】
【００１５】
【００１６】
【００１７】
【００１８】
【００１９】
【００２０】
【００２１】
【００２２】
本発明においては、
前記揚穀装置の上部における前記吐出口が形成される穀粒排出部に前後方向に延びる縦壁部材が設けられ、
前記覆い部に、前記縦壁部材の前部側箇所及び後部側箇所の夫々から前記グレンタンクの横側壁に沿って前後方向に延設された支持部と、前後両側の前記支持部の夫々に沿って取り付けられるとともに前記シール装着部が形成された被装着部と、が備えられていると好適である。
【００２３】
本特徴構成によれば、揚穀装置における吐出口が形成される穀粒排出部に前後方向に延びる縦壁部材が設けられるから、例えば排出用羽根体等による穀粒排出を阻害しないように内部に空間を形成でき、この縦壁部材の前部側箇所及び後部側箇所の夫々からグレンタンクの横側壁に沿って前後方向に支持部が延設されて前後両側の前記支持部にシール部材が装着されるので、グレンタンクの横側壁に沿う状態で良好にシールすることができる。
本発明の別の特徴構成は、
脱穀装置から搬出され且つ揚穀装置により上揚搬送された穀粒を前記揚穀装置の吐出口からグレンタンクの横側壁に形成された開口を通して前記グレンタンク内に搬送するように構成され、
前記グレンタンクが、前記開口と前記吐出口とが連通する作業位置と、前記開口と前記吐出口とが離間するメンテナンス位置とにわたって位置変更自在に構成され、
前記吐出口と前記開口とが連通する連通用接続箇所において、前記グレンタンクと前記揚穀装置との間にシール部材が設けられているコンバインの穀粒回収部構造であって、
前記連通用接続箇所において、前記グレンタンク又は前記揚穀装置のうちのいずれか一方に他方に向かう状態で板状のシール装着部が形成され、
前記シール部材が、その長手方向の全長にわたって中空部が形成された弾性変形自在な変形作用部と、長手方向の全長にわたって前記板状のシール装着部に板厚方向両側から弾性的に挟持支持する状態で係合する係合保持部とを備えて構成されるとともに、前記板状のシール装着部に前記係合保持部が係合し且つ前記変形作用部が前記グレンタンク又は前記揚穀装置のうちの前記他方に向かう状態で装着され、
前記揚穀装置の上部における前記吐出口が形成される穀粒排出部に前後方向に延びる縦壁部材が設けられ、
この縦壁部材の前部側箇所及び後部側箇所の夫々から前記グレンタンクの横側壁に沿って前後方向に支持部が延設され、
前後両側の前記支持部に前記シール装着部が設けられている点にある。
本発明においては、
前記開口の横幅が前記吐出口の横幅よりも大きく設定されるとともに、前記揚穀装置の横側外方側に突出する状態で前記開口を覆う前後の覆い部が前記揚穀装置に形成され、
前記覆い部に、前記支持部と、前後両側の前記支持部の夫々に沿って取り付けられるとともに前記シール装着部が形成された被装着部と、が備えられていると好適である。
本発明においては、
前側の前記被装着部は、前側の前記支持部の前端部よりも前方側まで延長され、かつ、前側の前記支持部の上端部よりも上方側まで延長され、かつ、前側の前記支持部の下端部よりも下方側まで延長され、
前側の前記被装着部のうち前側の前記支持部よりも、前方、上方、及び、下方に延長されている部分の外周に沿って、前記シール装着部が形成され、
後側の前記被装着部は、後側の前記支持部の後端部よりも後方側まで延長され、かつ、後側の前記支持部の上端部よりも上方側まで延長され、かつ、後側の前記支持部の下端部よりも下方側まで延長され、
後側の前記被装着部のうち後側の前記支持部よりも、後方、上方、及び、下方に延長されている部分の外周に沿って、前記シール装着部が形成されていると好適である。
本発明においては、
前記グレンタンクの横側壁に、前記グレンタンクの上端部から下部に亘ってタンク内方に向かって凹入する状態で且つ上下方向に沿って延びる状態で凹部が形成されるとともに、その凹部の上部に前記開口が形成され、前記揚穀装置が前記作業位置において前記凹部の内部に入り込む状態で配備されていると好適である。
本特徴構成によれば、グレンタンクが作業位置にある状態において、グレンタンクの側面にタンク内方に向かって凹入する状態で形成された凹部の内部に入り込む状態で揚穀装置が配備されているから、グレンタンクの側面を脱穀装置にできるだけ近づけることができ、グレンタンクと脱穀装置との間の無駄な空間を少なくしてグレンタンクの貯留容量をできるだけ大きくすることができる。
【図面の簡単な説明】
【００２４】
【図１】コンバインの全体側面図である。
【図２】コンバインの全体平面図である。
【図３】揚穀装置配設部の一部切欠後面図である。
【図４】グレンタンクの側面図である。
【図５】グレンタンクの正面図である。
【図６】グレンタンクの下部の正面図である。
【図７】係止保持具配設部の正面図である。
【図８】揚穀装置の上部の縦断後面図である。
【図９】揚穀装置の上部の側面図である。
【図１０】シール部材の横断平面図である。
【図１１】グレンタンクの開口形成部の側面図である。
【図１２】揚穀装置の上部の側面図である。
【図１３】揚穀装置の上部の横断平面図である。
【図１４】揚穀装置の上下中間部の横断平面図である。
【図１５】揚穀装置の上部の分解斜視図である。
【図１６】別実施形態の揚穀装置の上部の横断平面図である。
【発明を実施するための形態】
【００２５】
以下、本発明に係るコンバインの穀粒回収部構造について図面に基づいて説明する。
図１，２に示すように、コンバインは、左右一対のクローラ走行装置２を備えるとともに、機体前部に収穫対象の作物穀稈を刈り取り刈取穀稈を機体後方に向けて搬送する刈取部５が備えられ、その後方に、操縦部４、刈取穀稈を脱穀・選別する脱穀装置６、脱穀装置６にて選別回収された穀粒を貯留するグレンタンク９、排ワラを処理する排ワラ処理装置７等が装備されている。そして、エンジン３、操縦部４、脱穀装置６、グレンタンク９等が車体フレーム１にて載置支持される構成となっている。
【００２６】
図示は省略するが、エンジン３からの動力が左右のクローラ走行装置２に伝達される一方、その走行用の伝動系から分岐した動力が刈取搬送用の伝動系を介して刈取部５に伝達され、さらに、エンジン３からの動力が脱穀装置６に伝達される一方、そこから分岐した動力が排ワラ処理装置７に伝達されるように伝動系が構成されている。
【００２７】
脱穀装置６は、刈取部５から搬送される刈取穀稈を搬送しながら図示しない扱室内で穂先側を脱穀処理して、脱穀装置６の内部に備えられた選別機構（図示せず）による選別作用により、脱穀処理物を、単粒化した穀粒とワラ屑等の塵埃とに選別し、単粒化した穀粒を回収してグレンタンク９に搬送して回収し、塵埃は機外に排出するように構成されている。又、脱穀処理されたあとの排ワラは排ワラ処理装置７にて細断処理されるように構成されている。
【００２８】
図２，３に示すように、脱穀装置６の底部に一番物回収スクリュー１０が備えられ、この一番物回収スクリュー１０により穀粒を機体横幅方向に沿ってグレンタンク９側に横送り搬送するように構成されている。又、図３に示すように、脱穀装置６とグレンタンク９との間には、一番物回収スクリュー１０とベベルギア伝動機構１１により連動連結される状態で、スクリューコンベア式の揚穀装置１２が備えられている。
【００２９】
そして、一番物回収スクリュー１０にて横送りされた穀粒は、揚穀装置１２にて上方に搬送されて、その揚穀装置１２の上端部に形成された吐出口１３からグレンタンク９の左側壁部９Ａ（横側壁の一例）に形成された開口としての穀粒受入口１４を通してグレンタンク９内に搬送するように構成されている。
【００３０】
図１に示すように、グレンタンク９の底部に穀粒を機体後方側に向けて搬送する搬出用底スクリュー１５が備えられ、グレンタンク９の機体後部側に、搬出用底スクリュー１５とベベルギア伝動機構（図示せず）を介して連動連結される状態で、搬送終端部から穀粒を上揚搬送する縦送りスクリューコンベア１６が備えられている。又、縦送りスクリューコンベア１６の上部には、上揚搬送された穀粒を横送り搬送して先端の排出口１７から排出する横送りスクリューコンベア１８の基端部が水平軸芯Ｐ１周りで上下揺動自在にベベルギア伝動機構（図示せず）を介して連動連結されている。
【００３１】
つまり、グレンタンク９内に貯留される穀粒は、搬出用底スクリュー１５、縦送りスクリューコンベア１６、及び、横送りスクリューコンベア１８により搬送されて排出口１７から外部に排出することができるように構成されている。
【００３２】
又、縦送りスクリューコンベア１６は、減速機付きの電動モータ１９の作動により縦軸芯Ｐ２周りで回動操作可能に構成され、横送りスクリューコンベア１８は油圧シリンダ２０により基端部の水平軸芯Ｐ１周りで上下揺動操作可能に構成されており、横送りスクリューコンベア１８を旋回操作並びに昇降操作させて排出口１７の位置を変更させることにより、穀粒を機外のトラック等に排出させることができる。
【００３３】
図１，３，４，５に示すように、グレンタンク９における前側壁部９Ｂ及び後側壁部９Ｃ夫々の下部に、略矩形板状の支持部材２１，２２がボルト連結されており、これらの支持部材２１，２２を車体フレーム１により下方から受け止め支持するように構成されている。つまり、支持部材２１，２２はグレンタンク９の脚部として機能するように構成されている。
【００３４】
又、図１に示すように、グレンタンク９の後側壁部９Ｃの下部には、搬出用底スクリュー１５と縦送りスクリューコンベア１６とを連動連結する図示しないベベルギア伝動機構を内装するとともに、グレンタンク９の後方に突出して露出する搬出用底スクリュー１５の後端部並びに縦送りスクリューコンベア１６の始端部を覆うベベルギアケース２４が、前述した支持部材２２とともにボルト連結されている。このベベルギアケース２４には、その底部から下方に向けて延出する円筒状の支軸部２４Ａが一体形成されている。
【００３５】
車体フレーム１にはベベルギアケース２４の支軸部２４Ａを相対回転可能に支持する軸支部１Ａが備えられ、グレンタンク９は、上下向きの支軸となるベベルギアケース２４の支軸部２４Ａを支点にした左右方向への揺動操作が可能となるように車体フレーム１に支持される構成となっている。
【００３６】
このような構成から、グレンタンク９は、その後端に位置するベベルギアケース２４の支軸部２４Ａを支点にして左右方向に揺動変位させることにより、グレンタンク９の左側壁部９Ａが脱穀装置６に隣接してグレンタンク９の穀粒受入口１４が揚穀装置の吐出口１３に連通する作業位置と、グレンタンク９の前部側が脱穀装置６から離間してエンジン３の後方及び脱穀装置６の右側方を開放するメンテナンス位置とにわたって位置変更自在に構成されている（図２参照）。
【００３７】
尚、図２の符号２５は、グレンタンク９の上部面に形成された図示しない点検用開口を閉じる蓋部材であり、図４の符号２６，２７は、グレンタンク９の左側壁部９Ａに形成された図示しない点検用開口を閉じる蓋部材である。これらの蓋部材２５，２６，２７はネジにより連結されており、ネジによる連結を解除してこれらの蓋部材２５，２６，２７を取り外すことで点検用開口を開放させることができる。
【００３８】
図５，６に示すように、グレンタンク９の前側に連結された支持部材２１には、下部側位置保持手段としての逆Ｌ字状のロックピン２８が上下摺動自在に且つバネ２９により下方に付勢される状態で支持部３０にて支持されている。グレンタンク９を作業位置に位置させた場合に、ロックピン２８が車体フレーム１に形成した係合孔１Ｂに挿通してグレンタンク９を位置保持することができるように構成されている。
【００３９】
車体フレーム１の端部には、グレンタンク９がメンテナンス位置から作業位置へ移動するに伴ってロックピン２８を上方に移動案内する傾斜案内面３１が形成されており、グレンタンク９をメンテナンス位置から作業位置に位置させると、ロックピン２８が傾斜案内面３１により案内されたのちバネ２９の付勢力で車体フレーム１の係合孔１Ｂに挿通する状態に自動的に切り換わるように構成されている。
【００４０】
前記ロックピン２８の保持状態を解除するときは、ロックピン２８の上部に形成された横向きの操作部２８Ａを手作業にて上方に持ち上げ操作することにより解除可能であり、持ち上げた状態で支持部３０に形成された受止部３０Ａにて操作部２８Ａを受止め保持することが可能な構成となっている。
【００４１】
又、図５，７に示すように、グレンタンク９の前側壁部９Ｂの脱穀装置６側（左側）端部で且つ上下中央位置に、脱穀装置６の側壁にステー３２を介して取り付けられた係止ピン３３に係合する係合状態と係合を解除する解除状態とにわたり、前後軸芯Ｐ３周りで揺動自在な上部側位置保持手段としての係止保持具３４が備えられている。この係止保持具３４は、バネ３５の付勢力により係合状態に揺動付勢され、且つ、バネ３５の支持部を兼用する受止めピン３６により、係止ピン３３との係合が解除された状態で必要以上に揺動することが牽制されるようになっている。
【００４２】
係止保持具３４が係止ピン３３と係合していない状態で且つ受止めピン３６にて受止められる揺動牽制状態にあるときに、グレンタンク９がメンテナンス位置から作業位置に移動すると、係止保持具３４は、それに形成された傾斜案内面３４Ａが係止ピン３３に接当して案内されながらバネ３５の付勢力に抗して退避揺動して、グレンタンク９が作業位置に位置すると自動的に係合状態に切り換わるように構成されている。
【００４３】
係止保持具３４は、前側の支持部材２１における横外側方に寄った箇所に設けられた操作レバー３７を操作することにより解除状態に切り換えることができるように構成されている。
つまり、図５に示すように、操作レバー３７と係止保持具３４とをロッド３８を介して連動連結してあり、操作レバー３７を手動で解除側に操作すると、バネ３５の付勢力に抗して係止保持具３４を解除状態に切り換えることができる。
【００４４】
操作レバー３７を前側の支持部材２１における横外側方に寄った箇所に設けることで、ロックピン２８に近づけることができ、ロックピン２８の操作と操作レバー３７の操作とが行い易いものとなり、グレンタンク９のメンテナンス位置への切り換え操作を能率よく行うことができる。
【００４５】
上記したような位置保持の構成により、例えば、グレンタンク９をメンテナンス位置から作業位置に位置させると、ロックピン２８が車体フレーム１の係合孔１Ｂに挿通する状態に自動的に切り換わり、且つ、係止保持具３４が自動的に係止ピン３３に対する係合状態に切り換わることになり、グレンタンク９の前側壁部９Ｂにおける下端部及び脱穀装置６側の端部の夫々において位置保持することによって、グレンタンク９を作業位置に固定することができる。
【００４６】
グレンタンク９を作業位置からメンテナンス位置に切り換えるときは、ロックピン２８をバネ２９の付勢力に抗して車体フレーム１の係合孔１Ｂから抜き出して受止部３０Ａにて受止め保持しておき、さらに、操作レバー３７を解除側に操作して係止保持具３４を解除状態に切り換えている状態で、グレンタンク９を右方向に揺動させてメンテナンス位置に切り換えることができる。
【００４７】
尚、グレンタンク９を作業位置からメンテナンス位置に切り換えるときは、予め、エンジン３からの動力を搬出用底スクリュー１５に伝える伝動状態と伝動を遮断する遮断状態とに切り換え自在なベルトテンション式の排出クラッチ３９を遮断状態に切り換えたのち伝動ベルト４０を取り外しておくことになる。
【００４８】
図１に示すように、グレンタンク９の右側下部には、上述したようなロックピン２８や操作レバー３７、及び、排出クラッチ３９等を覆い隠す横長に形成した板金製の前下カバー部材５７が着脱自在に取り付けられ、さらに、その前下カバー部材５７の後方には、縦送りスクリューコンベア１６や旋回用の電動モータ１９等を覆い隠すように後下カバー部材５８が設けられている。
【００４９】
次に、揚穀装置１２の吐出口１３とグレンタンク９の穀粒受入口１４とが連通する連通用接続箇所の構成について説明する。
【００５０】
図２，３，４に示すように、グレンタンク９の脱穀装置６側の左側面（左側壁部９Ａ）にタンク内方に向かって凹入する状態で且つ上下方向に沿って延びる状態で凹部４１が形成されている。そして、揚穀装置１２が、グレンタンク９が作業位置にある状態において凹部４１の内部に入り込む状態で配備されている。このような構成により、脱穀装置６とグレンタンク９との間に揚穀装置１２を配備しながらも、グレンタンク９の左側面（左側壁部９Ａ）を脱穀装置６に接近させることでグレンタンク９の容量を大きくすることができる。
【００５１】
図３に示すように、揚穀装置１２は、穀粒搬送用スクリュー４２と、その穀粒搬送用スクリュー４２の外周部を囲う円筒状の外筒４３とを備えて構成され、その外筒４３の上端部には吐出口１３が形成される穀粒排出部４４が形成されている。図８に示すように、穀粒排出部４４には、穀粒搬送用スクリュー４２の駆動軸４２Ａが延長形成されており、この駆動軸４２Ａに穀粒排出用の掻き出し羽根４５が取り付けられている。
【００５２】
この揚穀装置１２は、上下方向の中間部において外筒４３に溶接固定された一対の連結具６０が脱穀装置６の側壁にボルト連結されることにより、左右方向並びに前後方向での位置ずれが防止される構成となっている。
【００５３】
図８，９，１２，１３に示すように、穀粒排出部４４には、掻き出し羽根４５の上下両側にフランジ状の仕切り板４６，４７が設けられ、掻き出し羽根４５の外周部におけるグレンタンク９の外方側に臨む箇所には、穀粒が外部に排出されるのを阻止する縦壁部材４８が設けられている。グレンタンク９の内部に臨む領域では、上下の仕切り板４６，４７の上下中間部が開放されており、この上下の仕切り板４６，４７の上下中間部で穀粒の吐出口１３が形成されている。尚、図中の符号６２は、穀粒を放出案内するための案内体である。
【００５４】
図９，１１，１２，１３に示すように、グレンタンク９には、吐出口１３の横幅よりも広幅になる状態で穀粒受入口１４が形成され、揚穀装置１２における穀粒排出部４４の前後両側部には広幅の穀粒受入口１４を覆う前後の覆い部４９が形成されている。
又、前後両側の覆い部４９は、縦壁部材４８から固定延設された支持部５０と、その支持部５０に固定されるとともに外周部を折り曲げてグレンタンク９側に向けて突出する突出縁部５１ａ（板状のシール装着部の一例）が形成された被装着部５１とで構成されている。
【００５５】
図１５に示すように、前記被装着部５１は、側面視で外形形状が略台形状に形成されており、上下方向の幅は穀粒受入口１４の上下幅よりも大になるように広幅に形成されている。そして、被装着部５１の突出縁部５１ａには、グレンタンク９と揚穀装置１２との間の隙間を塞ぐためのシール部材５２が装着されている。
【００５６】
説明を加えると、図１３に示すように、縦壁部材４８は、平面視で略Ｖ字状に形成されており、この縦壁部材４８の前部側箇所及び後部側箇所の夫々からグレンタンク９の左側壁部９Ａに沿って前後方向に支持部５０が延設されている。
尚、グレンタンク９の左側壁部９Ａは、凹部４１の後部側は機体前後方向に沿うように設けられるが、凹部４１の前部側は平面視で斜め姿勢になるように形成されているが、前部側に形成された支持部５０は左側壁部９Ａの前部側箇所に沿うように平面視で斜め姿勢に形成され、後部側に形成された支持部５０は左側壁部９Ａの後部側箇所に沿うように機体前後方向に沿う姿勢に形成されている。
【００５７】
従って、前側の覆い部４９は、グレンタンク９の左側壁部９Ａに沿うように平面視で斜め姿勢になるように設けられ、後側の覆い部４９は、グレンタンク９の左側壁部９Ａに沿うように機体前後方向に沿う姿勢になるように設けられている。
【００５８】
図１０，１５に示すように、シール部材５２は、長手方向の全長にわたって中空部５３が形成された弾性変形自在な変形作用部５４と、長手方向の全長にわたって突出縁部５１ａに板厚方向両側から弾性的に挟持支持する状態で係合する係合保持部５５とを備えて構成されている。又、このシール部材５２は、突出縁部５１ａに係合保持部５５が係合し且つ変形作用部５４がグレンタンク９に向かう状態で装着されている。
【００５９】
説明を加えると、シール部材５２は、一般的な自動車のドアの隙間をシールするために使用されるゴム製のウェザーストリップにて構成されるものであり、図１０に示すように、変形作用部５４と係合保持部５５とが一連に連なるようにゴム材にて一体形成されている。
【００６０】
変形作用部５４は、断面略円形の中空部５３を備えて長手方向に沿って延びる略円筒状に形成され、グレンタンク９と接当すると中空部５３が変形してグレンタンク９との相対移動を許容しながら隙間を埋める状態を維持できるように構成されている。
又、係合保持部５５は、長手方向の全範囲にわたって突出縁部５１ａを板厚方向の両側から挟み込むように断面が略コの字状に形成されるとともに、その内側には突出縁部５１ａとの接触面積を大きくするために複数の接触片５６が形成されている。
【００６１】
被装着部５１には、前記シール部材５２として、長尺の第１シール部材５２ａと短い第２シール部材５２ｂとが装着されている。
つまり、図１５に示すように、長尺の第１シール部材５２ａは、被装着部５１の略台形状の外周部のうち、上側縁部５１Ａ、横側縁部５１Ｂ、及び、下側縁部５１Ｃの夫々に突出縁部５１ａが形成されるとともに、上側縁部５１Ａ、横側縁部５１Ｂ、及び、下側縁部５１Ｃの夫々にわたって一連に連なる状態で装着されている。
又、被装着部５１の基端側の上下両側の縦向き縁部５１Ｄには、短い第２シール部材５２ｂが装着されている。
【００６２】
そして、グレンタンク９を作業位置とメンテナンス位置とに切り換えるときに、グレンタンク９の左側壁部９Ａがシール部材５２に接近離間する場合、図１３に示すように、シール部材５２は、変形作用部５４が左側壁部９Ａに近い側に位置し、係合保持部５５が左側壁部９Ａから遠い側に位置するような向きでグレンタンク９に接当作用することになるが、グレンタンク９の左側壁部９Ａが、変形作用部５４と係合保持部５５との並び方向と略同じ方向に移動することになる。
【００６３】
図１１に示すように、グレンタンク９における穀粒受入口１４の上側周縁部１４Ａ及び下側周縁部１４Ｂの夫々に、揚穀装置１２における吐出口１３の上部側部分及び下部側部分に接当作用するシール部材５２が装着されている。
上側のシール部材５２は、穀粒受入口１４の上側周縁部１４Ａに対して係合保持部５５が上方に向けて差込まれる状態で係合し、且つ、変形作用部５４が下側に位置する状態で装着されている。一方、下側のシール部材５２は、穀粒受入口１４の下側周縁部１４Ｂに対して係合保持部５５が下方に向けて差込まれる状態で係合し、且つ、変形作用部５４が上側に位置する状態で装着されている。
【００６４】
このグレンタンク９側の上側のシール部材５２は、吐出口１３の上部側部分に相当する上側のフランジ状の仕切り板４６に対して接当作用し、グレンタンク９側の下側のシール部材５２は、吐出口１３の下部側部分に相当する下側のフランジ状の仕切り板４７に対して接当作用し、穀粒受入口１４の上側及び下側において隙間が発生することを防止するようになっている。
【００６５】
そして、グレンタンク９を作業位置とメンテナンス位置とに切り換えるときに、上下の仕切り板４６，４７がグレンタンク９側の上側のシール部材５２に接近離間する場合、図８に示すように、シール部材５２は、変形作用部５４が仕切り板４６，４７Ａに近い側に位置し、係合保持部５５が仕切り板４６，４７から遠い側に位置するような向きでグレンタンク９に接当作用することになるが、グレンタンク９の左側壁部９Ａが、変形作用部５４と係合保持部５５との並び方向と略直交する方向に移動することになる。
【００６６】
〔別実施形態〕
（１）上記実施形態では、覆い部４９の外周側に一連に連なる状態でシール部材５２が装着され、グレンタンク９における穀粒受入口１４（開口）の上側周縁部１４Ａ及び下側周縁部１４Ｂの夫々にシール部材５２が装着される構成としたが、このような構成に代えて、揚穀装置１２側にグレンタンク９における穀粒受入口１４（開口）の上側周縁部１４Ａ及び下側周縁部１４Ｂの夫々に接当作用する接当部材（図示せず）を設け、この接当部材にシール部材を取り付ける構成としてもよい。
【００６７】
（２）上記実施形態では、シール装着部としての突出縁部５１ａが揚穀装置１２側に設けられる構成としたが、グレンタンク９側に揚穀装置１２の受止め用の部材（図示せず）を備え、その部材にシール装着部としての突出縁部を形成する構成としてもよい。
【００６８】
（３）上記実施形態では、揚穀装置１２がグレンタンク９に形成された凹部４１の内部に入り込む状態で配備される構成としたが、このような構成に代えて、例えば、図１６に示すように、グレンタンク９の左側壁部９Ａを平坦面とし、吐出口１３と穀粒受入口１４との連通箇所を覆う矩形状の囲い部材６１を設け、その囲い部材６１とグレンタンク９との間にシール部材５２を設ける構成としてもよい。
【００６９】
（４）上記実施形態では、自脱型のコンバインを示したが、全稈投入型のコンバインでもよい。
【産業上の利用可能性】
【００７０】
本発明は、グレンタンクとそのグレンタンクに穀粒を上揚搬送する揚穀装置との間にシール部材が設けられているコンバインに適用できる。
【符号の説明】
【００７１】
６      脱穀装置
９      グレンタンク
９Ａ    横側壁
１２    揚穀装置
１３    吐出口
１４    開口
１４Ａ  上側周縁部
１４Ｂ  下側周縁部
４１    凹部
４４    穀粒排出部
４６    上部側部分
４７    下部側部分
４８    縦壁部材
４９    覆い部
５０    支持部
５１ａ  突出縁部（シール装着部）
５２    シール部材
５３    中空部
５４    変形作用部
５５    係合保持部
【図１】
0005416155.tif 000002
【図２】
0005416155.tif 000003
【図３】
0005416155.tif 000004
【図４】
0005416155.tif 000005
【図５】
0005416155.tif 000006
【図６】
0005416155.tif 000007
【図７】
0005416155.tif 000008
【図８】
0005416155.tif 000009
【図９】
0005416155.tif 000010
【図１０】
0005416155.tif 000011
【図１１】
0005416155.tif 000012
【図１２】
0005416155.tif 000013
【図１３】
0005416155.tif 000014
【図１４】
0005416155.tif 000015
【図１５】
0005416155.tif 000016
【図１６】
0005416155.tif 000017